(57)【要約】【課題】建物に固定した取り付けブラケットに対して庇を仮置きすることができ、庇を手で保持することなくビスでの固定作業が行えるようにし、庇取付けの施工性の向上と省力化を図ることができる庇の取り付け方法を提供する。【解決手段】周枠２の上面を傾斜状のカバー３で覆った庇１の、上記周枠２の背面側に設けた取り付け金具４に上下二段の掛け爪９と１０を設け、建物に固定する取り付けブラケット５に上下二段の受け爪２２と２３を設け、建物Ａに固定した取り付けブラケット５の受け爪２２と２３に、掛け爪９と１０を引っ掛けることにより建物Ａに対して庇１を仮置し、この後、庇１を取り付けブラケット５にビスで本固定する。【選択図】  図１
2004270199.tif 000002
【特許請求の範囲】
【請求項１】
周枠の上面を傾斜状の天板で覆った庇の上記周枠の背面側に上下複数の掛け爪を設け、建物に固定する取り付けブラケットに上下複数の受け爪を設け、建物に固定した取り付けブラケットの受け爪に、掛け爪を引っ掛けることにより建物に対して庇を仮に取り付け、この後、庇を取り付けブラケットにビスで本固定する庇の取り付け方法。
【請求項２】
周枠の上面が傾斜状の天板で覆われ、上記周枠の背面側を取り付け金具とした庇と、建物に固定する取り付けブラケットとからなり、上記取り付けブラケットに上下複数の受け爪を設けると共に、取り付け金具に上記各受け爪へ係止する上下複数の掛け爪を設け、上記取り付けブラケットに対して庇を、両者の重なり部分を締結するビスによって固定するようにした庇の取り付け装置。
【発明の詳細な説明】
【０００１】
【発明の属する技術分野】
この発明は、建物の勝手口のような出入り口や窓の屋外側上部に取り付ける庇の、建物に対する取り付け方法とその装置に関する。
【０００２】
【従来の技術】
建物の勝手口や窓のような、比較的幅の狭い開口部の屋外側壁面の上部には、出入りの時に雨水で濡れないようにしたり、雨水の吹き込みを防ぐための庇が設けられている。
【０００３】
このような庇は、建物の構築時に建物と一体に設ける一体型と、建物の構築後に取り付ける後付け型とがあり、前者の一体型は、建物を構築時に壁面から庇部分が張り出すことになり、このため、壁面の施工が複雑になって施工性を悪くするという不都合があり、このため、上記のような不都合を解消できる後者の後付け型が多用されている。
【０００４】
従来の後付け型庇における取付け構造は、建物の壁面に固定する取り付け金具の下縁に爪状の係止片と上縁にフラットな取付板を設け、庇の背面には、下部の位置に係止片に係止する係止部と、上部の位置に上記取付板に重ねる取付け片を設け、取り付け金具を建物に固定した状態で、先ず、庇の係止部を係止片に引っ掛け、この状態で庇の先端側を持ち上げるように回動させ、庇の背面側を取り付け金具に接近する平行状とすることにより、取付板に取付け片を重ね、この状態を維持したまま取付け片を取付板にビス止めすることにより、庇を建物に固定するようにしている（例えば、特許文献１参照）。
【０００５】
【特許文献１】
特開２００２−２３５４１４号公報（第２頁、図１乃至図３）
【０００６】
【発明が解決しようとする課題】
ところで、上記のような従来の取付け構造は、取付け施工時において、庇を仮置きすることができないので、庇から手を放すことができず、庇の係止部を係止片に引っ掛けて、取付板に取付け片を重ねた状態をそのまま手で保持して、ビス止め作業を行わなければならないので、庇の固定作業が一人ではどうしても行いにくく、庇を保持する作業者とビスをねじ込む作業者の二人が必要になり、その分施工コストが嵩むことになる。
【０００７】
そこで、この発明の課題は、建物に固定した取り付けブラケットに対して庇を仮置きすることができ、庇を手で保持することなくビスでの固定作業が行えるようにし、庇取付けの施工性の向上と省力化を図ることができる庇の取り付け方法と装置を提供することにある。
【０００８】
【課題を解決するための手段】
上記のような課題を解決するため、請求項１の発明は、周枠の上面を傾斜状の天板で覆った庇の上記周枠の背面側に上下複数の掛け爪を設け、建物に固定する取り付けブラケットに上下複数の受け爪を設け、建物に固定した取り付けブラケットの受け爪に、掛け爪を引っ掛けることにより建物に対して庇を仮に取り付け、この後、庇を取り付けブラケットにビスで本固定する構成を採用したものである。
【０００９】
また、請求項２の発明は、周枠の上面が傾斜状の天板で覆われ、上記周枠の背面側を取り付け金具とした庇と、建物に固定する取り付けブラケットとからなり、上記取り付けブラケットに上下複数の受け爪を設けると共に、取り付け金具に上記各受け爪へ係止する上下複数の掛け爪を設け、上記取り付けブラケットに対して庇を、両者の重なり部分を締結するビスによって固定するようにした構成を採用したものである。
【００１０】
上記庇の周枠は、角形の型材を用いた前枠材と両側の横枠材及び上下に幅のある長い板状の取り付け金具を用いて四角い枠状に組み立て、取り付け金具の背面には、上部の位置と下部の位置に、先端側が下向きに屈曲する掛け爪が設けられている。
【００１１】
また、カバーは、天板の両側下部に三角形の側板を設け、天板が前方下がりの傾斜状に形成され、側板の下部を横枠材にビスで固定し、天板は先端部の下向き片を前枠材にビスで固定すると共に、後端側を取り付け金具の上部にビスで固定することにより、周枠の上部を覆っている。
【００１２】
上記取り付けブラケットは、上下に幅のある長い板状に形成され、建物に固定するためのタッピングネジの挿通孔が多数設けられ、建物への取付け面と反対側の面で上部の位置と下部の位置に、先端側が上向きに屈曲する受け爪が長さ方向に沿って突設されている。
【００１３】
従って、建物に固定した取り付けブラケットの上下の受け爪に、上下の庇の掛け爪を落とし込むように係止すると、庇は背面側の上下二箇所で支持されることになり、取り付けブラケットに仮置きした状態となるので、庇から手を放すことができ、庇の取り付けブラケットに対するビス止め作業時に、庇を保持する必要がなくなり、庇取付けの能率向上と省力化が図れることになる。
【００１４】
【発明の実施の形態】
以下、この発明の実施の形態を添付図面に基づいて説明する。
【００１５】
図１のように、庇１は、周枠２の上面を前方下がりの傾斜状のカバー３で覆って形成され、上記周枠２の背面側を取り付け金具４とした構造になっていると共に、建物Ａに固定する取り付けブラケット５が別体に用意されている。
【００１６】
上記周枠２は、図３と図４のように、三箇所のコーナが凹入し、上部外側コーナ部分に垂直片６と、下部内側コーナ部分に水平片７を設けた角形のアルミ型材を用いた前枠材２ａと両側の横枠材２ｂ及び、上下に幅のある長い板状の取り付け金具４を用い、これらをビスで結合することにより、横長の四角い枠状に組み立てられている。
【００１７】
上記取り付け金具４は、図５のように、上下に幅のある長い板状で、中間部に横枠材２ｂの端部が収まるような段部８が屈曲形成され、背面側の上部と下部の位置に、先端側が下向きに屈曲する掛け爪９と１０と、下端部の位置に水切り片１１が、また、掛け爪９と反対側の面で上端部の位置にカバー取付け片１２が、それぞれ長さ方向の全長にわたって設けられた断面形状になっている。
【００１８】
上記カバー３は、裏面に制振材を貼り付けた金属板を用い、周枠２の外形に略等しい平面的な大きさを有する角形に形成された天板３ａの両側下部に三角形の側板３ｂを設け、天板３ａの下面で両側の位置に、前後方向に沿った配置となる補強桟材１３が固定され、天板３ａが前方下がりの傾斜状になっている。
【００１９】
このカバー３の周枠２に対する固定は、図４のように、側板３ｂの下部を横枠材２ｂに於ける垂直片６の外面に重ねてこの重なり部分をビス１４で結合すると共に、図３のように、天板３ａの先端に設けた下向き片３ｃを前枠材２ａの垂直片６の外面に重ねてこの重なり部分をビス１５で結合し、更に、補強桟材１３の先端下部を前枠材２ａの凹入するコーナ部分に納めてその重なり部分をビス１６で結合し、補強桟材１３の後端下部を取り付け金具４のカバー取付け片１２に重ね、その重なり部分をビス１７で結合することにより行われる。
【００２０】
図３と図４のように、上記周枠２における前枠材２ａの前面と、両横枠材２ｂの外面には、水切りカバー１８がビス止めされ、この水切りカバー１８と天板３ａの下向き片３ｃの間及び水切りカバー１８とカバー３の側板３Ｂの間が水密材１９によってシールされている。
【００２１】
上記取り付けブラケット５は、取り付け金具４と同様の長さと上下の幅を有する長い板状で、建物Ａに固定するためのタッピングネジ２０の挿通孔２１が多数設けられ、建物Ａへの固定面と反対側の面で上部と下部の位置に、先端側が上向きに屈曲する受け爪２２と２３と、上端側の位置に建物Ａへの固定面で凹入する溝２４と、上端部に庇１の天板支持片２５とがそれぞれ長さ方向の全長にわたって設けられている。
【００２２】
上記天板支持片２５は、天板３に合わせた傾斜状になっていると共に、この天板支持片２５と天板３の重なり部分をビス２６で固定化する場合に、天板支持片２５と天板３の重なり面の間に水密材を介在させておくようにし、更に、取り付けブラケット５を建物Ａに固定するとき、溝２４内にはシーリング材２７を充填しておき、建物Ａに対する天板３及び取り付けブラケット５間の水密性を向上させている。
【００２３】
上記取り付けブラケット５の上下の受け爪２２、２３と、取り付け金具４の上下の掛け爪９、１０は、上下の配置間隔が一致し、上部の受け爪２２と掛け爪９は爪先が長いＬ字形に生成され、また、下部の受け爪２３と掛け爪１０は、共に爪先が短くなっていて、受け爪２３上に掛け爪１０が重なり合うように形成され、この重なり合う受け爪２３と掛け爪１０を下部からねじ込むビス２８で締結するようになっている。
【００２４】
なお、取り付け金具４の水切り片１１には、上記ビス２８による受け爪２３と掛け爪１０の締結が下部から行えるように透孔が設けられ、ビス２８による締結後はこの透孔を孔塞ぎ材によって閉鎖するようになっている。
【００２５】
図３の場合、庇１における周枠２の下面には、波板を用いた底面パネル２９を水平片７にビス止めすることによって張設すると共に、周枠２の内部空間にダウンライト３０を収納し、上記底面パネル２９には、ダウンライト３０の照射用孔が形成されている例を示している。
【００２６】
この発明の庇の取り付け装置は、上記のような構成であり、次に、この取り付け装置を用いた庇の方法を説明する。
【００２７】
周枠２上にカバー３をビス止めによって取り付け、周枠２の外周面に水切り材１８を取付け、内部にダウンライト３０を収納して組み立てた庇１と取り付けブラケット５を用意し、先ず、取り付けブラケット５を、上部の溝２４にシーリング材２７を充填した状態で、建物Ａの開口部における上部で室外側の壁面に重ね、この取り付けブラケット５を多数本のタッピングビス２０を用いて壁面に固定する。
【００２８】
次に、庇１を保持し、図５のように、この庇１の背面側後端部に位置する取り付け金具４を取り付けブラケット５の前面に臨ませ、上部の掛け爪９を上部の受け爪２２に落とし込んで引っ掛け、この状態で取り付け金具４を取り付けブラケット５に接近させることにより、下部の掛け爪１０を下部の受け爪２３に係合させる。
【００２９】
図６のように、建物Ａに固定した取り付けブラケット５の上下の受け爪２２と２３に、取り付け金具４の上下の掛け爪９と１０を係止すると、庇１は取り付けブラケット５に仮置き状態となり、庇１から手を放して保持を解くことができる。
【００３０】
このような仮置き状態で、庇１は天板３ａにおける後端が取り付けブラケット５の天板支持片２５上に重なり、水切り片１１の先端が取り付けブラケット５の下部前面に当接する。
【００３１】
上記した天板３ａと天板支持片２５の重なり部分をビス２６で結合すると共に、重なり合う下部の掛け爪１０と受け爪２３をビス２８で締結し、水切り片１１の透孔を孔塞ぎ材によって閉鎖すれば、建物Ａに対する庇１の取付けが完了することになる、
【００３２】
【発明の効果】
以上のように、この発明によると、庇の背面側に位置する取り付け金具に上下複数の掛け爪を設け、建物に固定する取り付けブラケットに上下複数の受け爪を設け、建物に固定した取り付けブラケットの受け爪に、掛け爪を引っ掛けることにより建物に対して庇を仮に取り付け、この後、庇を取り付けブラケットにビスで本固定するようにしたので、建物に対する庇の取付けにおいて、建物に固定した取り付けブラケットに庇を仮置きすることができ、ビスによる庇の取り付けブラケットへの固定作業が、庇を保持することなく単独作業として行え、庇の取り付けが一人の作業者によって行えるので、庇取付けの施工性の向上と省力化を図ることができる。
【図面の簡単な説明】
【図１】（Ａ）は庇と取り付けブラケットの分解斜視図、（Ｂ）は庇の背面側から見た斜視図
【図２】庇の建物への取付け状態を示す斜視図
【図３】庇の建物への取付け状態を示す拡大した縦断側面図
【図４】図３の矢印ＩＶーＩＶに沿う縦断正面図
【図５】取り付けブラケットに対する庇の取付け直前の状態を示す拡大した縦断側面図
【図６】取り付けブラケットに対して庇を取付けた状態を示す拡大した縦断側面図
【符号の説明】
１    庇
２    周枠
３    カバー
４    取り付け金具
５    取り付けブラケット
６    垂直片
７    水平片
８    段部
９    掛け爪
１０  掛け爪
１１  水切り片
１２  カバー取付け片
１３  補強桟材
１４  ビス
１５  ビス
１６  ビス
１７  ビス
１８  水切りカバー
１９  水密材
２０  タッピングネジ
２１  挿通孔
２２  受け爪
２３  受け爪
２４  溝
２５  天板支持片
２６  ビス
２７  シーリング材
【図１】
2004270199.tif 000003
【図２】
2004270199.tif 000004
【図３】
2004270199.tif 000005
【図４】
2004270199.tif 000006
【図５】
2004270199.tif 000007
【図６】
2004270199.tif 000008